(57)【特許請求の範囲】
【請求項１】
下枠とスペーサとカバー板とを備え、
下枠は、下枠上面に上方に突出する案内レールを有し且つ案内レールより室内側の下枠上面は、室内側に向けて下方に傾斜し、
スペーサは、弾性素材からなり、カバー板と下枠との間の隙間に複数配置したものであり且つスペーサとスペーサとの間に隔間を有し、
カバー板の下面に取り付けてカバー板とスペーサーが一体的になっており、
カバー板は、室内側に縦板部を有する側面視Ｌ型で、縦板部に水抜孔を有し、
カバー板の室内側上面の左右端部は、左右の室内縦枠の下端部近傍に設けた軸に偏心軸支した長円形状カバー板押え具にて押え状態と押え開放状態が切り替え可能になっており、
カバー板の室外側下面は、下枠に取り付けたカバー板支持具の上端面との間に間隔を置いて配置してあり、
カバー板上面は、案内レールの頂部と略同一高さであり、案内レールの頂部は引き戸の下框下面に形成する凹部内に位置していることを特徴とする浴室出入口の下枠カバー装置。
【発明の詳細な説明】
【０００１】
【発明の属する技術分野】
本発明は、浴室の出入口に設ける開閉戸、特に引き戸下部に設ける下枠カバー装置に関する。
【０００２】
【従来の技術】
近年、高齢化が進み社会の趨勢として、住宅及び住宅設備に関しても高齢者等が快適に過ごすことができるように、より安全・容易に使用できる構造が求められてきている。
浴室の場合、その出入口は防水上の観点から浴室内と脱衣場との間に比較的高い敷居が設けてあるのが一般的であり、この構造は足腰の弱った高齢者等にとって辛いものであり、時として転倒して思わぬ事故が発生することがある。
そこで、このような不具合を避けるため、引き戸を吊り下げ方式として、床面には敷居を設けないで、脱衣場床面と浴室出入口の床面とを同一高さとする構造のものが提案されている。
【０００３】
しかしながら、敷居を設けず、脱衣場床面と浴室出入口床面とを同一高さの構造とすると、浴室内の湯水が脱衣場側に流れ出る不具合が生ずる。また、引き戸の浴室内側面に多量の凝縮水が発生し、この水が引き戸下面の床に落ちて浴室出入口床面から脱衣場側に流れ出る不具合が生ずることもある。
そこで、浴室出入口において、敷居を設けない構造とする場合に、浴室内の湯水や凝縮水が引き戸下面の床を通じて脱衣場側に流れ出る不具合を解消する必要がある。
【０００４】
【発明が解決しようとする課題】
本発明は、上記不具合を解決することにあり、本発明の課題は、浴室出入口の室内から脱衣場への湯水の流出を防止する下枠カバー装置を提供することにある。
【０００５】
【課題を解決するための手段】
本発明に係る浴室出入口の下枠カバー装置は、下枠とスペーサとカバー板とを備え、下枠は、下枠上面に上方に突出する案内レールを有し且つ案内レールより室内側の下枠上面は、室内側に向けて下方に傾斜し、スペーサは、弾性素材からなり、カバー板と下枠との間の隙間に複数配置したものであり且つスペーサとスペーサとの間に隔間を有し、カバー板の下面に取り付けてカバー板とスペーサーが一体的になっており、カバー板は、室内側に縦板部を有する側面視Ｌ型で、縦板部に水抜孔を有し、カバー板の室内側上面の左右端部は、左右の室内縦枠の下端部近傍に設けた軸に偏心軸支した長円形状カバー板押え具にて押え状態と押え開放状態が切り替え可能になっており、カバー板の室外側下面は、下枠に取り付けたカバー板支持具の上端面との間に間隔を置いて配置してあり、カバー板上面は、案内レールの頂部と略同一高さであり、案内レールの頂部は引き戸の下框下面に形成する凹部内に位置していることを特徴とする。
【０００７】
【発明の実施の態様】
以下に、本発明に係る実施例を図面に基づいて説明する。
本実施例は、図１に示すように、浴室の出入口７に設ける引き戸５（開閉戸）の室内側に設ける下枠カバー装置Ａであり、上記出入口７の引き戸５寄りで躯体下枠４（下枠）と室内下枠２０（下枠）に亘って設けるカバー板支持具１８と、前記躯体下枠４に上下に隙間を設けて係止するカバー板４４と、前記隙間に配置するスペーサ４５と、前記出入口７の引き戸縦枠２６、２６の室内側寄りで回転可能に軸着しカバー板４４上面に当接可能に配置するカバー板押え具４６とを具備し、カバー板支持具１８の上端面と対応するカバー板４４の下面との間に隙間を形成する。
【０００８】
更に、スペーサ４５を弾性素材からなる合成樹脂で形成すると共に、該スペーサ４５の室内外側の両端面をカバー板４４に係止させ、且つ該スペーサ４５の室外側端面下部を上記カバー板支持具１８に係止する。
以下、本実施例を詳細に説明する。
【０００９】
建物に浴室を設けるに当たって、浴室の出入口７相当箇所の躯体１に方形状の開口部を形成し、該開口部壁面の上面及び両側面に躯体枠を取り付ける。躯体枠は躯体上枠２と躯体縦枠３と躯体下枠４からなる。
上記開口部には、浴室の出入口７として開閉する引き戸５を設けことから、開口部を左右に分けて、図３に示すように、右半分部分を引き戸５の収納部６とし、左半分部分を出入口７として構成する。
更に、躯体上枠２には、後述の引き戸上枠８の取付部９、引き戸５を吊り下げて支持する走行レール１０、室内上枠１１の取付部１２（出入口７側のみ．図１参照）、及び、壁板上枠１３の取付部１４（収納部側のみ．図２参照）を形成する。
【００１０】
躯体下枠４には、後述の室外床板１５の取付部１６、引き戸５の案内レール１７、カバー板支持具１８の取付穴１９と室内下枠２０の係合部２１（出入口７側のみ．図１参照）、及び、壁板下枠２２の取付部２３（収納部側のみ．図２参照）を形成する。案内レール１７の最上面は前記のように、後述のカバー板４４の上面と室外（脱衣場）床板１５面とを略同一面（同一高さ）とする。
【００１１】
躯体上枠２には、その全長にわたって引き戸上枠８を躯体上枠２の取付部９にビス２４で取り付ける。また、開口部の中央部には仕切縦枠２５を鉛直方向に立設する。更に、左右両躯体縦枠３、３にも該躯体縦枠３、３に沿って引き戸縦枠２６、２６を設ける。前記引き戸縦枠２６、２６の内、図３における左側の縦枠２６が戸当り縦枠となる。
【００１２】
図２に示すように、躯体上枠２に壁板上枠１３を取付部１４において取り付け、躯体下枠４に壁板下枠２２を取り付け、両壁板枠１３、２２間には壁板２７を装着する。また、この壁板２７の室内側には断熱素材からなる幅厚の壁体２８を配置する。
【００１３】
室内枠は、主として支持枠としての機能と共に装飾的な機能を有する部材であり、図１に示すように、出入口７側の躯体上枠２の室内側に室内上枠１１を取付ビス２９により取り付け、出入口７側の躯体下枠４の室内側には、排水部を兼ねる室内下枠２０を取付ビス３０により取り付ける。
また、図３に示すように、出入口７側の両側面には室内縦枠３１、３１を戸当り側の引き戸縦枠２６及び仕切縦枠２５にそれぞれビス３２、３２により取り付ける。
【００１４】
開閉戸を構成する引き戸５自体は格別新規なものではない。即ち、不透明な障子３３を上下框３４、３５及び縦框３６、３７で支持し、図１に示すように、上框３４に２本の吊り杆３８を上方に取り付け、該吊り杆３８の上端に走行ローラ３９を回転自在に取り付けて走行レール１０に支持させる。また、上框３４の上面には躯体上枠２の下面に設ける気密ブラシ４０を当接させている。
一方、下框３５下面に形成する凹部４１には、案内レール１７を介在させ、引き戸５下部を案内レール１７に規制させて面外方向に振れることを防止している。
【００１５】
また、下框３５の下部室内側の全面に亘って防水片４２を取り付け、後述のカバー板４４の上面に摺接させることにより、浴室内から溢れた湯水が室外（脱衣場）に流出しないようにしている。
また、縦框３６には引き戸５の両面（室内外）に開閉ハンドル４３、４３を設け、開閉時の便に供している。
【００１６】
本発明の最も特徴とする下枠カバー装置Ａは、出入口７の引き戸５の室内側に設ける。図１に示すように、下枠カバー装置Ａは、浴室開口部に設ける引き戸５の室内側床部に設ける。該下枠カバー装置Ａは、カバー板支持具１８と、カバー板４４と、スペーサ４５と、カバー板押え具４６とからなる。
なお、躯体１の浴室側下面には排水溝が設けてあるが、図１において、その側壁５７のみ示してある。
【００１７】
カバー板４４は撥水性の合成樹脂を素材とし、図３、４に示すように、上面を長方形状に形成し、且つ、滑り止め用の浅い凹凸状４７に形成する。また、図１に示すように、カバー板４４は側面視略Ｌ型に形成し、使用状態における室外側（引き戸５側）下面４８を後述のカバー板支持具１８の対応面とし、更に、該下面４８には後述のスペーサ４５の一側縁を係止する係止片４９を設ける。
【００１８】
また、カバー板４４の室外側の両コーナー部には、図４（Ａ）に示すように、切欠部４４ａ、４４ｂを形成し引き戸縦枠２６と仕切縦枠２５とに係合させる。
カバー板４４の室内側の縦板部５０には、図４（Ｂ）に示すように、スペーサ４５の他側縁を取り付けるビス孔５１を穿設すると共に、その下端には室内下枠２０への係合部５２を形成する。そして、カバー板４４を各下枠４、２０上に配置するとき、カバー板４４と各下枠４、２０との間には、後述のスペーサ４５を挿入できる隙間を形成する。
また、カバー板４４の室内側の縦板部５０には、図４（Ｂ）に示すように、水抜孔５０ａを穿設してカバー板４４下部の湯水を排水溝の側壁５７に向けて流下させる。なお、水抜孔５０ａの位置や数は適宜設計事項である。
【００１９】
前記スペーサ４５は、図１に示すように、カバー板４４と各下枠４、２０との間の隙間に配置する。図５（Ａ）（Ｂ）に示すように、平面視略長方形状で、一端部上方にはカバー板４４の係止片４９と係合可能な係合部５３を設けると共に、下方には後述のカバー板支持具１８に係合する係合凹部５４を形成し、他端部にはビス受け部（符号なし）を設ける。
なお、カバー板４４下部にスペーサ４５を配置する数は、カバー板４４の素材の対応力にもよるが、スペーサ４５とスペーサ４５との間が、３０ｃｍ以下であることが望ましい。
【００２０】
カバー板支持具１８は、図１に示すように、前記躯体下枠４の取付穴１９に取り付ける。カバー板支持具１８はポリアミド系の合成樹脂を素材とし、図６に示すように、全体形状として回転コマ型に形成する。平面視円形で上面は平坦状に形成し、該平面がカバー板４４の下面４８対応面となる。そして、これらの対応面は、図１に示すように、わずかの間隔を置いて配置されることになる。
なお、このカバー板支持具１８はスペーサ４５を配置した位置に対応させて案内レール１７に沿って取り付ければよい。
【００２１】
カバー板押え具４６は、図１、３に示すように、カバー板４４の室内側上面の左右端部に当接して下方に押圧可能に配置する。具体的には、カバー板押え具４６は左右の室内縦枠３１、３１の下端部近傍に設ける軸５５に回転可能に軸支されている。
カバー板押え具４６は長円形状で軸５５に偏芯して軸支され、９０度回転し、鉛直方向と水平方向に停止することで、カバー板を押え状態と押え開放状態とに切り替え可能とする。
【００２２】
先ず、カバー板４４の下面に略等間隔にスペーサ４５を係止片４９及び取付ビス５６により取り付けて一体化する。
次に、スペーサ４５の位置に対応させてカバー板支持具１８・・を躯体下枠４の取付穴１９・・に装着する。
次に、スペーサ４５の係合凹部５４をカバー板支持具１８の首部に係合し、併せて切欠部４４ａ、４４ｂをそれぞれ引き戸縦枠２６と仕切縦枠２５とに係合させたあと、カバー板４４の係合部５２を室内下枠２０の係止部に係合する。
最後に、カバー板押え具４６を９０度回転させて、該押え具４６の下端がカバー板４４の上面に当接させ取付を完成する。
取り外しは、上記操作を逆にすれば良い。
【００２３】
以上のように、浴室の出入口７に設ける引き戸５の室内側床部に設ける下枠カバー装置Ａで、浴室の出入口床面と室外床板１５と躯体下枠４に設ける案内レール１７の頂部とを略同一面とする場合であって、上記出入口７の引き戸５寄りで下枠４上にカバー板支持具を設け、前記出入口７に上下に隙間を設けてカバー板４４を係止すると共に上記隙間にスペーサ４５を配置し、更に、室内縦枠３１、３１の室内側寄りで回転可能にカバー板押え具４６を軸着してカバー板４４上面に当接可能に配置し、また、カバー板支持具１８の上端面と対応するカバー板４４の下面との間に隙間を形成し、且つ、浴室内外床面及び引き戸５下部の床面を平坦面とすることで、浴室への出入りを容易とし、併せて、浴室で溢れた湯水の脱衣場への流出を防止する。
【００２４】
更に、凹凸の多い引き戸５下部をカバー板４４で覆うことにより意匠的効果も期待できる。また、この装置は構成が簡単で、カバー板の取付・取り外しが簡単・容易となる。
【００２５】
また、カバー板４４の室外側はスペーサ４５を介して躯体下枠４に取り付け、且つ、カバー板支持具の上端面と対応するカバー板の下面との間に隙間を形成することで、カバー板４４の引き戸５側が浮いた状態になり、入浴者がこの上に乗ったときゴツゴツ感がなく、使用感がよい。
【００２６】
更に、スペーサ４５を弾性を有する合成樹脂で形成すると共に、該スペーサ４５の室内外側の両端面をカバー板４４に係止させ、且つ該スペーサ４５の室外側端面下部を上記支持具１８に係止させることで、カバー板４４を取り付けるに当たって、前もってスペーサ４５と一体にすることによって着脱が一層容易となる。
【００２７】
また、カバー板４４全体をスペーサ４５で弾性的に支持・補強しているから、カバー板４４の構造や厚みを小さくすることができる。
更に、カバー板４４の上面、室外床板１５、及び浴室内の床面を略面一とすることにより、凹凸のない床面を実現できる。
【００２８】
更に、上記実施例のように、下枠カバー装置Ａは浴室出入口７の引き戸５の室内側に設ける例を示したが、下枠カバー装置Ａは浴室出入口７の引き戸５の直下部に設けてもよく、この場合は案内レール１７をカバー板４４上に形成してもよい。
【００２９】
なお、上記実施例では、開閉戸は片引き戸の例を示したが、両引き戸であってもよく、更にドア方式の開閉戸にも適用できるものである。
また、引き戸５は吊り下げ引き戸を例示したが、走行レールが床面にあってもよい。
【００３０】
【発明の効果】
本発明は、上記構成により下記の効果を奏する。浴室出入口の浴室内から脱衣場への湯水の漏水を防止することで、浴室内外の床面の平坦化を容易に実現して凹凸のない出入口床面を実現できる。更に、本発明は、構成が簡単で、カバー板の取付・取り外しが簡単・容易となる。
【００３１】
上記効果に加えて、カバー板を取り付けるに当たって、前もってスペーサと一体にすることで着脱が一層容易となる。また、カバー板全体をスペーサで弾性的に支持・補強させたから使用感が一層よくなる。
【図面の簡単な説明】
【図１】本発明の実施例における出入口部分の概略縦断面図。
【図２】同実施例における収納部分の概略縦断面図。
【図３】同実施例における水平断面図。
【図４】同実施例におけるカバー板の平面図（Ａ）及び正面図（Ｂ）。
【図５】同実施例におけるスペーサの平面図（Ａ）及び側面図（Ｂ）。
【図６】同実施例のにおけるカバー板支持具の側面図。
【符号の説明】
Ａ・・・下枠カバー装置
１・・・躯体
２・・・躯体上枠
３・・・躯体縦枠
４・・・躯体下枠（下枠）
５・・・開閉戸（引き戸）
６・・・収納部
７・・・出入口
８・・・引き戸上枠
９・・・（躯体上枠に形成した引き戸上枠の）取付部
１０・・走行レール
１１・・室内上枠
１２・・（躯体上枠に形成した室内上枠の）取付部
１３・・壁板上枠
１４・・（躯体上枠に形成した壁板上枠の）取付部
１５・・室外床板
１６・・（躯体下枠に形成した室外床板の）取付部
１７・・案内レール
１８・・カバー板支持具
１９・・（カバー板支持具取付用）取付穴
２０・・室内下枠（下枠）
２１・・係合部（出入口側）
２２・・壁板下枠
２３・・（壁板下枠取付用）取付部
２４・・（引き戸上枠取付用）ビス
２５・・仕切縦枠
２６・・引き戸縦枠
２７・・壁板
２８・・壁体
２９・・（室内上枠取付用）取付ビス
３０・・（室内下枠取付用）取付ビス
３１・・室内縦枠
３２・・（室内縦枠取付用）ビス
３３・・障子
３４・・上框
３５・・下框
３６・・縦框
３７・・縦框
３８・・吊り杆
３９・・走行ローラ
４０・・気密ブラシ
４１・・（下框の）凹部
４２・・防水片
４３・・開閉ハンドル
４４・・カバー板
４４ａ・・切欠部（引き戸縦枠側）
４４ｂ・・切欠部（仕切縦枠側）
４５・・スペーサ
４６・・カバー板押え具
４７・・（カバー板の）凹凸状
４８・・カバー板の下面
４９・・係止片
５０・・縦板部
５０ａ・・水抜孔
５１・・（縦板部に穿設した）ビス孔
５２・・（カバー板に設けた）係合部
５３・・（スペーサに形成した）係合部
５４・・（スペーサに形成した）係合凹部
５５・・軸
５６・・取付ビス
５７・・（排水溝の）側壁
【図１】
0003707067.tif 000002
【図２】
0003707067.tif 000003
【図３】
0003707067.tif 000004
【図４】
0003707067.tif 000005
【図５】
0003707067.tif 000006
【図６】
0003707067.tif 000007